(57)【要約】【課題】麺類やパスタ類を提供する飲食店や自宅や職場や学校において、麺類やパスタ類の喫食時に麺類やパスタ類の跳出物が喫食者に対して接触しようとした場合に、跳出物からの接触を防止する手段の提供を目的とする。【構成】１０は麺類やパスタ類の収納容器であり、１１は収納容器１０に収納された麺類またはパスタ類の収納物であり、２０は収納容器１０から跳出した収納物１１の一部が喫食者に接触することを防止する可撓性を備えたシート体であり、シート体２０はこの実施例ではプラスチック製であり、２１（ａ，ｂ，ｃ）と２２（ａ，ｂ，ｃ）は収納容器１０において喫食者の直近に位置する縁部にシート体２０が着脱可能になる手段であり、着脱可能手段２１（ａ，ｂ，ｃ）と着脱可能手段２２（ａ，ｂ，ｃ）をシート体２０の下部に固着することで、シート体２０は収納容器１０に対して着脱可能になる。【選択図】図２
2008154987.tif 000002
【特許請求の範囲】
【請求項１】
麺類やパスタ類の喫食時に麺類を収納する容器やパスタ類を収納する容器から跳出した前記収納物の一部が喫食者に対して接触しようとした場合に、前記麺類容器や前記パスタ類容器と喫食者との間に前記跳出物が人体や人体被服物に接触することを防止する手段であることを特徴とする、喫食時の液ハネ防止手段。
【請求項２】
前記接触防止手段が、前記容器において前記喫食者の直近に位置する部位に、可撓性を備えたシート体または板状体が着脱可能な手段を介して前記容器の縁部に少なくとも１個装着されることを特徴とする、請求項１に記載の喫食時の液ハネ防止手段。
【請求項３】
前記接触防止手段が、前記容器と前記喫食者の間に位置する部位に、可撓性を備えたシート体または可撓性を備えた板状体を少なくとも１個載置することを特徴とする、請求項１に記載の喫食時の液ハネ防止手段。
【請求項４】
前記着脱可能手段が、前記容器の縁部と前記可撓性シート体または可撓性板状体とが接触する部位に着脱可能に取付けることができる取付け具であることを特徴とする、請求項１または請求項２に記載の喫食時の液ハネ防止手段。
【請求項５】
前記シート体または前記板状体の片面あるいは両面に文字や記号や図や絵や写真等が付されていることを特徴とする、請求項１から請求項３のいずれかに記載の喫食時の液ハネ防止手段。
【発明の詳細な説明】
【技術分野】
【０００１】  本発明は、麺類やパスタ類の喫食時に麺類を収納する容器やパスタ類を収納する容器から跳出した前記収納物の一部が喫食者に対して接触しようとした場合に、前記麺類容器や前記パスタ類容器と喫食者との間に前記跳出物が人体や人体被服物に接触することを防止する手段であることを特徴とする、喫食時の液ハネ防止手段に関するものである。
【背景技術】
【０００２】  従来から、日本では、うどん、蕎麦、ラーメンなどの麺類や、スパゲティーやマカロニやニョッキなどのパスタ類が好まれて喫食されており、米飯の代わりに主食とする人も多くなってきた。
ところが、近年になって、うどんやラーメンや蕎麦などの麺類を提供する飲食店において、これら麺類を喫食している時に、これら麺類の一部が人体の一部や人体被服物の一部に付着するという体験に、不快感を感じる喫食者が増えてきて、こられ体験者の一部には、これ以後、上記麺類の喫食の欲求が生じても、この体験のために、上記麺類の喫食を回避または敬遠または上記麺類を提供する飲食店への入店を回避または敬遠するという場合があることが一般的に知られるようになってきた。
また、スパゲティーやマカロニやニョッキなどのパスタ類を提供する飲食店において、これらパスタ類を喫食している時に、これらパスタ類の一部が人体の一部や人体被服物の一部に付着するという体験に、不快感を感じる喫食者が増えてきて、こられ体験者の一部には、これ以後、上記パスタ類の喫食の欲求が生じても、この体験のために、上記パスタ類の喫食を回避または敬遠または上記パスタ類を提供する飲食店への入店を回避または敬遠するという場合があることが一般的に知られるようになってきた。【０００３】  また、従来から、袋入りのうどんやラーメンや蕎麦などの即席麺類を、自宅や職場や学校で加熱調理したり熱湯を注ぐことで可食状態にした後に喫食している時に、これら即席麺類の一部が人体の一部や人体被服物の一部に付着するという体験者が存在し、こられ体験者の一部には、これ以後、上記即席麺類の喫食の欲求が生じても、この体験のために、上記即席麺類の購入を敬遠するという場合があることが一般的に知られている。
また、袋入りのスパゲティーやマカロニやニョッキなどの即席パスタ類を、自宅や職場や学校で加熱調理したり熱湯を注ぐことで可食状態にした後に喫食している時に、これら即席パスタ類の一部が人体の一部や人体被服物の一部に付着するという体験者が存在し、こられ体験者の一部には、これ以後、上記即席パスタ類の喫食の欲求が生じても、この体験のために、上記即席パスタ類の購入を敬遠するという場合があることが一般的に知られている。【０００４】  また、従来から、主にプラスチック製容器に収納されたうどんやラーメンや蕎麦などの容器入り即席麺類を、自宅や職場や学校で容器の中に熱湯を注ぐことで可食状態にした後に喫食している時に、これら容器入り即席麺類の一部が人体の一部や人体被服物の一部に付着するという体験者が存在し、こられ体験者の一部には、これ以後、上記容器入り即席麺類の喫食の欲求が生じても、この体験のために、上記容器入り即席麺類の購入を敬遠するという場合があることが一般的に知られている。
また、主にプラスチック製容器に収納されたスパゲティーやマカロニやニョッキなどの即席パスタ類を、自宅や職場や学校で容器の中に熱湯を注ぐことで可食状態にした後に喫食している時に、これら容器入り即席パスタ類の一部が人体の一部や人体被服物の一部に付着するという体験者が存在し、こられ体験者の一部には、これ以後、上記容器入り即席パスタ類の喫食の欲求が生じても、この体験のために、上記即席パスタ類の購入を敬遠するという場合があることが一般的に知られている。【０００５】  そこで、近年になって、例えば、主にプラスチック製容器に収納されたうどんやラーメンや蕎麦などの容器入り即席麺類に関しては、下記のような開発案件が知られるようになってきた。
例えば、茹でられた麺と麺つゆとを別にして収容しておく麺類容器において、麺類を麺つゆ中に落とす際に麺つゆがはねることを回避でき、また麺類に手で触れなくても済むようにすることを課題とし、解決手段として、麺つゆが入れられる容器本体の上部に、開口を有する中皿を配し、この中皿の上に、上記開口を閉じて麺が載せられる仕切り板を取り外し可能に載置し、中皿の上の空間を蓋で閉じて麺類容器を構成する開発例が知られている。（特開２００１−３４８０７４号公報を参照する）【０００６】  また、例えば、汁はねを防ぐために汁はね防止板を設けた即席麺容器の提供を目的とし、その構成が、容器の外側に容器の外形形状に沿った形状の筒状の汁はね防止板を設け、汁はね防止板は縦壁面の一部が切り欠きになっており，上部には外側に向け周上にＬ字形のフランジがあり、容器のフランジに汁はね防止板のフランジを嵌め込むことで、容器に汁はね防止板を固定する、汁はね防止板付き即席麺容器の開発案件が知られている。（特開平９−２６７８６９号公報を参照する）
【発明の開示】
【発明が解決しようとする課題】
【０００７】  ところが、例えば、特開２００１−３４８０７４号公報の開発例では、麺つゆが入れられる容器本体の上部に、開口を有する中皿を配し、この中皿の上に、上記開口を閉じて麺が載せられる仕切り板を取り外し可能に載置し、中皿の上の空間を蓋で閉じて麺類容器を構成する、ということを特徴とするが、この案件の麺類容器と仕切り板との関係は一対の関係であり、麺類容器に収納された即席麺または即席麺入りの容器という商品を対象にしており、この案件では、例えば、一般的な麺類を提供する飲食店においては、麺類の容器には、うどん用容器、ラーメン用容器、蕎麦用容器と使い分けている場合が多いので、その場合ではこの案件では対応できず、すなわち、この案件では麺類の汁はね防止手段としては汎用性がないと考えられる。【０００８】  また、例えば、特開平９−２６７８６９号公報の開発案件では、容器の外側に容器の外形形状に沿った形状の筒状の汁はね防止板を設け、汁はね防止板は縦壁面の一部が切り欠きになっており，上部には外側に向け周上にＬ字形のフランジがあり、容器のフランジに汁はね防止板のフランジを嵌め込むことで、容器に汁はね防止板を固定する、ということを特徴とするが、この案件の容器と汁はね防止板との関係は一対の関係であり、容器に収納された即席麺または即席麺入りの容器という商品を対象にしており、この案件では、麺類の汁はね防止手段としては汎用性がないと考えられ、例えば、一般的な麺類を提供する飲食店においては、麺類の容器には、うどん用容器、ラーメン用容器、蕎麦用容器と使い分けている場合が多いので、その場合ではこの案件では対応できないと考えられる。【０００９】  また、例えば、うどんやラーメンや蕎麦などの麺類を提供する飲食店において、これら麺類を喫食している時に、これら麺類の一部が人体の一部や人体被服物の一部に付着するという問題点に関しては、これらの問題点を解決するための開発が成されてこなかった。
また、例えば、スパゲティーやマカロニやニョッキなどのパスタ類を提供する飲食店において、これらパスタ類を喫食している時に、これらパスタ類の一部が人体の一部や人体被服物の一部に付着するという問題点に関しては、これらの問題点を解決するための開発が成されてこなかった。
また、例えば、袋入りのうどんやラーメンや蕎麦などの即席麺類を、自宅や職場や学校で加熱調理したり熱湯を注ぐことで可食状態にした後に喫食している時に、これら即席麺類の一部が人体の一部や人体被服物の一部に付着するという問題点に関しては、これらの問題点を解決するための開発が成されてこなかった。
また、例えば、袋入りのスパゲティーやマカロニやニョッキなどの即席パスタ類を、自宅や職場や学校で加熱調理したり熱湯を注ぐことで可食状態にした後に喫食している時に、これら即席パスタ類の一部が人体の一部や人体被服物の一部に付着するという問題点に関しては、これらの問題点を解決するための開発が成されてこなかった。【００１０】  本発明は、上記の課題を解決するために成されたものであり、麺類やパスタ類を提供する飲食店において、麺類やパスタ類の喫食時に麺類を収納する容器やパスタ類を収納する容器から跳出した前記収納物の一部が喫食者に対して接触しようとした場合に、人体の一部や人体被服物の一部に接触することを防止する手段の提供を目的とする。
また、自宅や職場や学校において、袋入り即席麺類や袋入り即席パスタ類を喫食できる処理を実施して容器に収納した後に、処理済み麺類や処理済みパスタ類の喫食時に麺類を収納する容器やパスタ類を収納する容器から跳出した前記収納物の一部が喫食者に対して接触しようとした場合に、人体の一部や人体被服物の一部に接触することを防止する手段の提供を目的とする。
【課題を解決するための手段】
【００１１】  課題を解決するための第一の手段は、麺類やパスタ類の喫食時に麺類を収納する容器やパスタ類を収納する容器から跳出した前記収納物の一部が喫食者に対して接触しようとした場合に、前記麺類容器や前記パスタ類容器と喫食者との間に前記跳出物が人体や人体被服物に接触することを防止する手段であることを特徴とする、喫食時の液ハネ防止手段を提供することである。【００１２】  課題を解決するための第一の手段で記述した麺類に関しては、所望する量の小麦粉や大麦粉やライ麦粉や蕎麦粉や米粉やその他穀物粉体（例えば、粟、稗、豆類、黍、とうもろこし、など）の中から選択した少なくとも１種の粉体と適量の水または温水または熱水や補助物質（麺類によっては、塩、卵、かんすい、グルテン、食品添加物（例えば、増粘剤、酸化防止剤、腐敗防止剤、安定剤、糖類、カルシウム化合物）、などを必要に応じて選択して用いる）などを混練手段を用いて捏ね、製麺手段を用いて細長く切った食品のことであり、例えば、うどん、ひやむぎ、そうめん、ラーメン、蕎麦などを示している。
前記うどんに関しては、温汁うどん、冷汁うどん、冷やしうどん、ざるうどん、油めん、つけめん、カレーうどん、煮込みうどん、味噌煮込みうどん、生醤油ぶっかけタイプ、焼きうどん、などが知られている。
前記ひやむぎに関しては、温汁ひやむぎ、冷汁ひやむぎ、ざるひやむぎ、油めん、生醤油ぶっかけタイプ、などが知られている。
前記そうめんに関しては、温汁そうめん、冷汁そうめん、ざるそうめん、油めん、生醤油ぶっかけタイプ、などが知られている。
前記ラーメンに関しては、温汁ラーメン、冷汁ラーメン、ざるラーメン、油めん、冷やしラーメン、付けめんタイプ、カレーラーメン、焼きそば、みそラーメン、背油系ラーメン、トンコツ系ラーメン、などが知られている。
前記蕎麦に関しては、温汁蕎麦、冷汁蕎麦、ざる蕎麦、もり蕎麦、へぎ蕎麦、板蕎麦、カレー蕎麦、などが知られている。
課題を解決するための第一の手段で記述した麺類の喫食時に関しては、喫食者が麺類を飲食店で喫食する場合と、喫食者が麺類を自宅で喫食する場合と、喫食者が麺類を職場で喫食する場合と、喫食者が麺類を学校で喫食する場合と、を想定している。
前記飲食店に関しては、前記麺類だけを提供する飲食店と前記麺類が提供する飲食物の一部である飲食店を想定している。
前記自宅喫食の場合に関しては、喫食者が自宅にある前記麺類を収納可能な容器に加熱調理または加熱処理した前記麺類を収納した後に喫食する場合と、喫食者が自宅で前記麺類を提供する飲食店から配達してもらう場合を想定している。
前記職場喫食の場合に関しては、職場に前記麺類を提供する施設が存在する場合と、職場内で喫食者が職場にある前記麺類を収納可能な容器または持参した容器または購入した容器に加熱調理または加熱処理した前記麺類を収納した後に喫食する場合と、喫食者が職場まで前記麺類を提供する飲食店から配達してもらう場合を想定している。
前記学校喫食の場合に関しては、学校に前記麺類を提供する施設が存在する場合と、学校内で喫食者が学校にある前記麺類を収納可能な容器または持参した容器または購入した容器に加熱調理または加熱処理した前記麺類を収納した後に喫食する場合と、喫食者が学校まで前記麺類を提供する飲食店から配達してもらう場合を想定している。
前記学校に関しては、小学校、中学校、高校、大学、専門学校、などを想定している。
前記麺類に関しては、飲食店で提供される場合と、包装容器入りタイプの場合とを想定している。
前記包装容器に関しては、袋状の場合と箱状の場合と前記麺類を収納可能とするような容器状に成形してある場合を想定しており、材質に関しては問わないものとする。【００１３】  課題を解決するための第一の手段で記述したパスタ類に関しては、一般的にパスタ（ｐａｓｔａ）というと、小麦粉をこねて作るイタリアの麺類の総称であり、例えば、スパゲッティー、マカロニ、ラビオリ、カネロニ、フェットチーネ、ペンネ、ニョッキ、などの棒状や管状や長板状や型を用いての形成体などが知られているが、本発明では一般的に知られているパスタ状の概略全てを対象にしている。
前記パスタ類に関しては、一般的には、主原料が小麦粉の場合であるが、近年になって、所望する量の小麦粉や大麦粉やライ麦粉や蕎麦粉や米粉やその他穀物粉体（例えば、粟、稗、豆類、黍、とうもろこし、など）の中から選択した少なくとも１種の粉体と適量の水または温水または熱水や補助物質（麺類によっては、塩、卵、かんすい、グルテン、食品添加物（例えば、増粘剤、酸化防止剤、腐敗防止剤、安定剤、糖類、カルシウム化合物）、などを必要に応じて選択して用いる）などを混練手段を用いて捏ね、パスタ状形成手段を用いてパスタ類と称している場合もあり、本発明では、この場合も想定している。
前記パスタ類に関しては、チーズ味ベース、塩味ベース、トマトソースベース、ミートソースベース、カレーソースベース、醤油味ベース、オリーブオイルベース、にんにく味ベース、スパイスソースベース、などが知られている。
課題を解決するための第一の手段で記述したパスタ類の喫食時に関しては、喫食者がパスタ類を飲食店で喫食する場合と、喫食者がパスタ類を自宅で喫食する場合と、喫食者がパスタ類を職場で喫食する場合と、喫食者がパスタ類を学校で喫食する場合と、を想定している。
前記飲食店に関しては、前記パスタ類だけを提供する飲食店と前記パスタ類が提供する飲食物の一部である飲食店を想定している。
前記自宅喫食の場合に関しては、喫食者が自宅にある前記パスタ類を収納可能な容器に加熱調理または加熱処理した前記パスタ類を収納した後に喫食する場合と、喫食者が自宅で前記パスタ類を提供する飲食店から配達してもらう場合を想定している。
前記職場喫食の場合に関しては、職場に前記パスタ類を提供する施設が存在する場合と、職場内で喫食者が職場にある前記パスタ類を収納可能な容器または持参した容器または購入した容器に加熱調理または加熱処理した前記パスタ類を収納した後に喫食する場合と、喫食者が職場まで前記パスタ類を提供する飲食店から配達してもらう場合を想定している。
前記学校喫食の場合に関しては、学校に前記パスタ類を提供する施設が存在する場合と、学校内で喫食者が学校にある前記パスタ類を収納可能な容器または持参した容器または購入した容器に加熱調理または加熱処理した前記パスタ類を収納した後に喫食する場合と、喫食者が学校まで前記パスタ類を提供する飲食店から配達してもらう場合を想定している。
前記学校に関しては、小学校、中学校、高校、大学、専門学校、などを想定している。
前記パスタ類に関しては、飲食店で提供される場合と、包装容器入りタイプの場合とを想定している。
前記包装容器に関しては、袋状の場合と箱状の場合と前記パスタ類を収納可能とするような容器状に成形してある場合を想定しており、材質に関しては問わないものとする。【００１４】  課題を解決するための第一の手段で記述した跳出した前記収納物に関しては、前記麺類または前記パスタ類に附属する副食物（食材、具、野菜類、肉類、魚類、ハーブ類、香辛料）や、前記パスタ類に付着したソース類、前記麺類に付着したタレや汁、前記麺類または前記パスタ類に付着した脂肪分、前記麺類または前記パスタ類を浸す液体物などを想定している。【００１５】  課題を解決するための第一の手段で記述した、前記麺類容器や前記パスタ類容器と喫食者との間に前記跳出物が人体や人体被服物に接触することを防止する手段に関しては、前記接触防止手段が前記麺類容器や前記パスタ類容器に固着または一体化した状態でなければどんな形態でも構わない。また、前記接触防止手段が、喫食者の人体や人体被服物に接触してなければどんな形態でも構わない。【００１８】  課題を解決するための第二の手段は、前記接触防止手段が、前記容器において前記喫食者の直近に位置する部位に、可撓性を備えたシート体または板状体が着脱可能な手段を介して前記容器の縁部に少なくとも１個装着されることを特徴とする、課題を解決するための第一の手段に記載の喫食時の液ハネ防止手段を提供することである。【００１９】  課題を解決するための第二の手段で記述されるシート体または板状体に関しては、前記容器に装着できる寸法であれば、厚さや縦や横の数値に関しては任意であり、材質に関しても可撓性を備えたタイプであれば特に制限はないが、可撓性を備えてないタイプであっても、前記シート体または前記板状体の片面または両面の任意の位置に短方向の一端部から他端部または長方向の一端部から他端部に少なくとも１個の筋状または溝状または折り目またはミシン目を夫々を形成させるプレス手段や工具手段や金型手段を用いて形成させることで、可撓性を備えてないシート体または板状体であっても可撓性を設けることが可能となる。
また、前記シート体または前記板状体の片面または両面の任意の位置に短方向の一端部から他端部または長方向の一端部から他端部に少なくとも１個の筋状または溝状または折り目またはミシン目を夫々を形成させるプレス手段や工具手段や金型手段を用いて形成させることで、前記シート体または前記板状体を短方向または長方向に対して変形させることが可能となる。この場合では一度変形させた状態を一定の時間、定着させておくことが可能となる。
また、前記可撓性材料の中でも、一度変形すると一定の時間、定着させておくことが可能となる材料も存在し、例えば、形状記憶樹脂、一定の厚みの金属板（人力で変形させることが可能な厚みを備えた、例えば、アルミ箔、アルミ板、などが知られている）、熱可塑性樹脂、などが知られている。【００２０】  また、前記シート体または前記板状体の片面または両面の少なくとも一部に遠赤外線放射物質を適量コーティングしてもよい。
また、前記遠赤外線放射物質を適量コーティングさせる手段に関しては、前記遠赤外線放射物質である、所定量の酸化金属の粉体（一般的に入手できるタイプであれば何でも構わない）、所定量の粘土系物質の粉体（一般的に入手できるタイプであれば何でも構わない）、所定量の炭の粉体（一般的に入手できるタイプであれば何でも構わない）、所定量の分極性鉱物の粉体（例えば、トルマリン）、所定量の多孔質無機粉体（一般的に入手できるタイプであれば何でも構わない）、などから選択された少なくとも一種を無機系バインダーまたは有機系バインダーに混練したコーティング材料を前記シート体または前記板状体に印刷業界の定法の印刷手段またはコーティング業界の定法のコーティング手段を用いて付着させるようにする。【００２１】  前記着脱可能な手段に関しては、前記シート体または前記板状体を前記容器の縁部に装着して一定時間固定でき所望するときに取り外すことが可能な手段であれば特に制限は設けない。【００２３】  課題を解決するための第三の手段は、前記接触防止手段が、前記容器と前記喫食者の間に位置する部位に、前記可撓性を備えたシート体または前記可撓性を備えた板状体を少なくとも１個載置することを特徴とする、課題を解決するための第一の手段に記載の喫食時の液ハネ防止手段を提供することである。【００２４】  前記載置する手段に関しては、前記シート体または前記板状体が前記喫食者と前記容器との間の略平面に略垂直に自立している状態であれば、どんな手段でも構わない。
例えば、前記シート体の下部または前記板状体の下部に前記喫食者と前記容器との間の略平面に略垂直に自立させる手段を形成させてもよいし、前記シート体の下部または前記板状体の下部に垂直自立具を着脱可能または固着状態に設けてもよい。
また、前記自立手段を形成させる手段に関しては、前記シート体の一端部または前記板状体の一端部に、前記自立手段を達成できる形状にプレス手段を用いて形成しても、前記自立手段を達成できる金具を固着させてもよい。【００２５】  また、前記シート体または前記板状体を前記容器と前記喫食者の間に位置する部位に少なくとも１個載置した時に、前記シート体または前記板状体が垂直方向に対して、高さが変化できるような手段を設けてもよい。
前記高さ変化手段に関しては、前記シート体または前記板状体を複数で形成させて、スライドすることで高さ変化手段を達成してもよいし、前記可撓手段を複数組み合わせることで高さ変化手段を達成してもよい。【００２７】  課題を解決するための第四の手段は、前記着脱可能手段が、前記容器の縁部と前記可撓性シート体または前記可撓性板状体とが接触する部位に着脱可能に取付けることができる取付け具であることを特徴とする、課題を解決するための第一の手段または課題を解決するための第二の手段に記載の喫食時の液ハネ防止手段を提供することである。【００２８】  前記取付け具に関しては、前記容器の縁部と前記可撓性シート体または前記可撓性板状体とが接触する部位に着脱可能に取付けることが可能に形成してあれば、どんなタイプでも構わない。例えば、挟着効果を用いたり、粘着効果を用いたり、接着効果を用いたり、磁気的手段を用いたり、吸着効果を用いたり、して着脱可能手段を達成できればよい。
また、前記取付け具に関しては、素材は合成樹脂製、金属製、木質素材、紙、などが使用でき、さらに、これらの素材を組み合わせでもよい。【００２９】  また、前記取付け具を設けた前記可撓性シート体または前記取付け具を設けた前記可撓性板状体を前記容器の縁部に装着した時に、前記可撓性シート体または前記可撓性板状体の面と前記容器の収納物の略平面に対しての角度が、変化させることが可能な手段を前記取付け具に持たせても構わない。
角度が可変な前記取付け具に関しては、取付け具本体に前記可撓性シート体または前記取付け具を固着させる部品を設け、取付け具本体に前記容器の縁部に脱着できる部品を設け、前記取付け具固着部品と前記取付け具本体が角度可能手段で形成されても、前記容器縁部脱着部品と前記取付け具本体が角度可能手段で形成されても、どちらでも構わない。【００３１】  課題を解決するための第五の手段は、前記シート体または前記板状体の片面あるいは両面に文字や記号や図や絵や写真等が付されていることを特徴とする、課題を解決するための第一の手段から課題を解決するための第三の手段のいずれかに記載の喫食時の液ハネ防止手段を提供することである。【００３２】  課題を解決するための第五の手段で記述した、前記シート体または前記板状体の片面あるいは両面に文字や記号や図や絵や写真等を付すための手段に関しては、印刷業界が用いる印刷手段を用いても、デジタル制御装置の周辺装置に用いられるプリンター（インクジェット手段、レーザー手段、熱転写手段、感熱紙タイプ、などが使用できる）を用いても、コピー装置（アナログ式、デジタル式、などが使用可能）を用いても、事務用小型印刷装置（謄写版、孔版手段、紙版、簡易製版手段）を用いても、手動印刷装置（謄写版、孔版手段、紙版、簡易製版手段）を用いても、構わない。【００３３】  前記文字に関しては、日本語でも外国語でも構わない。また、前記文字を組み合わせて、情報伝達手段、メニュー、広告手段、宣伝手段、として用いることが可能である。
前記記号に関しては、日本や外国で一般的に用いられているタイプであれば何でも使用できる。また、前記記号を組み合わせて、情報伝達手段、メニュー、広告手段、宣伝手段、として用いることが可能である。近年、携帯電話やインターネットの世界で一般的に用いられるようになった、絵文字というものも、このカテゴリーに入る。
前記図に関しては、手書き手段、描画装置、描画道具、描画工具、コンピュータ、情報処理装置、などを用いて、点や線を用いて、物の形状や、物の状態や、他の物との関係を視覚に訴えて分かり易く説明するために表現されたものであれば、公序良俗に違反しなければ、どんな表現内容でも構わない。
前記絵に関しては、手書き手段、描画装置、描画道具、描画工具、コンピュータ、情報処理装置、などを用いて、点や線や色彩を用いて、物の形状や、物の状態や、何かが行なわれた状況を、記号などに頼らず、直接的または印象的に表現されたものであれば、公序良俗に違反しなければどんな表現内容でも構わない。
前記写真に関しては、写真機（アナログタイプ、デジタルタイプ、独立タイプ、内蔵タイプ、などが知られている）で写した、画像や映像であれば、公序良俗に違反しなければどんな表現内容でも構わない。【００３４】  前記シート体または前記板状体に関しては、前記文字や前記記号や前記図や前記絵や前記写真等が、付されていても、付されていなくても、水洗いまたはお湯洗いまたは熱湯洗いが可能であることが好ましく、そのための手段が設けられていることが好ましい。
【発明の効果】
【００３６】  以上の説明から明らかなように、本発明の明細書で記述された内容によって次に列挙する効果が得られる。【００３７】  本発明によって、汚れが着き易い衣類や、汚れが目立ち易い衣類や、高価な衣類を身に付けた、喫食者が、以前なら敬遠していたであろう飲食店で、前記麺類や前記パスタ類の喫食が可能となることで、飲食店の経済的活性化に貢献し、間接的には、麺業界や製麺業界、その他具材関連の業界を活性化させることに貢献し、我が国の産業の発展に寄与することが可能となる。【００３８】  本発明によって、汚れが着き易い衣類や、汚れが目立ち易い衣類や、高価な衣類を身に付けた、喫食者が、以前なら敬遠していた、職場内での前記麺類や前記パスタ類の喫食が可能となることで、前記麺類や前記パスタ類の消費が増大し、麺製品やパスタ製品の業界、麺業界や製麺業界、その他具材関連の業界を活性化させることに貢献し、我が国の産業の発展に寄与することが可能となる。【００３９】  本発明によって、汚れが着き易い衣類や、汚れが目立ち易い衣類や、高価な衣類を身に付けた、喫食者が、以前なら敬遠していた、学校内での前記麺類や前記パスタ類の喫食が可能となることで、前記麺類や前記パスタ類の消費が増大し、麺製品やパスタ製品の業界、麺業界や製麺業界、その他具材関連の業界を活性化させることに貢献し、我が国の産業の発展に寄与することが可能となる。【００４０】  本発明によって、前記麺類や前記パスタ類を提供する飲食店に、新規な広告媒体、新規な情報伝達手段を提供することが可能になるので、前記麺類や前記パスタ類の販売促進や飲食店の業容拡大に貢献することができ、広告業界や飲食業界を活性化させることで、我が国の産業の発展に寄与することが可能となる。【００４５】  本発明によって、前記麺類や前記パスタ類を提供する職場や学校で、新規な広告媒体、新規な情報伝達手段を提供することが可能になるので、前記麺類や前記パスタ類の販売促進に貢献することができ、広告業界や飲食業界を活性化させることができ、さらに、本発明を導入した職場や学校の活性化に貢献し、結果的に我が国の産業の発展に寄与することが可能となる。【００４６】  本発明を、即席麺類や即席パスタ類を提供する業者が採用し、即席麺類や即席パスタ類の附属商品として用いることで、新規の即席麺商品や新規の即席パスタ商品として、市場に投入でき、本発明の採用業者は、他者との差別化により商品の差別化が可能となり、新商品の販売促進に貢献でき、結果的に本発明の採用業者の売上拡大が可能となる。【００４７】  また、消費者が自宅や職場や学校で、袋入り即席麺類や袋入り即席パスタ類を喫食できる処理を実施して容器に収納した後に、処理済み麺類や処理済みパスタ類の喫食時に麺類を収納する容器やパスタ類を収納する容器から跳出した前記収納物の一部が喫食者に対して接触しようとした場合に、人体の一部や人体被服物の一部に接触することを防止する手段の提供が可能となることで、袋入り即席麺類や袋入り即席パスタ類の消費拡大に貢献することができる。
【発明を実施するための最良の形態】
【００５０】  以下、本発明の実施の形態について、図１〜図８に基づいて説明する。
図１は本発明の実施の形態例を示す側面図である。図２は本発明の実施の形態例を示す平面図である。図３は本発明の実施の形態例を示す概略説明図である。図４は本発明の実施の形態例を示す側面図である。図５は本発明の実施の形態例を示す平面図である。図６は本発明の実施の形態例を示す側面図である。図７は本発明の実施の形態例を示す概略説明図である。図８は本発明の実施の形態例を示す概略説明図である。
本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【実施例１】
【００５１】  図１〜図３より、１０は麺類やパスタ類の収納容器であり、１１は収納容器１０に収納された麺類またはパスタ類の収納物であり、２０は収納容器１０から跳出した収納物１１の一部が喫食者に接触することを防止する可撓性を備えたシート体であり、シート体２０はこの実施例ではプラスチック製であり、２１（ａ，ｂ，ｃ）と２２（ａ，ｂ，ｃ）は収納容器１０において喫食者の直近に位置する縁部にシート体２０が着脱可能になる手段であり、着脱可能手段２１（ａ，ｂ，ｃ）と着脱可能手段２２（ａ，ｂ，ｃ）をシート体２０の下部に固着することで、シート体２０は収納容器１０に対して着脱可能になる。着脱可能手段２１（ａ，ｂ，ｃ）は、シート体２０の下部の一端部を固定または固着するための部分である着脱可能手段２１ａと収納容器１０の縁部の一端部を挟着するための部分である着脱可能手段２１ｂと、着脱可能手段２１ａと着脱可能手段２１ｂを角度が可変になるように連結する部分である着脱可能手段２１ｃとで形成されている。着脱可能手段２２（ａ，ｂ，ｃ）は、シート体２０の下部の他端部を固定または固着するための部分である着脱可能手段２２ａと収納容器１０の縁部の他端部を挟着するための部分である着脱可能手段２２ｂと、着脱可能手段２２ａと着脱可能手段２２ｂを角度が可変になるように連結する部分である着脱可能手段２２ｃとで形成されている。
【実施例２】
【００５３】  図４〜図６より、１０は麺類やパスタ類の収納容器であり、１１は収納容器１０に収納された麺類またはパスタ類の収納物であり、３０は収納容器１０から跳出した収納物１１の一部が喫食者に接触することを防止する可撓性を備えた板状体であり、板状体３０はこの実施例では厚紙製であり、３１は板状体３０をテーブルに直立させるための道具であり、直立道具３１は長ブロック体になっており、直立道具３１の底部はテーブルの表面に接し、直立道具３１の上部は板状体３０の下部の一端部から下部の他端部を挟着して固定する構造になるよう形成され、直立道具３１の底部は直立道具３１の上部より大きくなるように形成されている。直立道具３１に装着された板状体３０は収納容器１０と喫食者の間に位置する部位に載置される。板状体３０の下部の一端部から下部の他端部には折部３２が形成されることで、板状体３０の下部は板状体３０の上部に対して角度が可変になる。板状体３０の角度が可変になる範囲は、角度可変範囲３０ａと角度可変範囲３０ｂとの間で調節される。角度可変範囲３０ａと角度可変範囲３０ｂの数値は折部３２の寸法や大きさによって制御可能である。よって、角度可変範囲３０ａは１度から４５度までの角度可変が可能であり、角度可変範囲３０ｂは１度から４５度までの角度可変が可能である。
【実施例３】
【００５５】  図７は、実施例１のシート体２０の片面または両面に、文字や記号や図や絵や写真を付した場合を説明しており、この実施例では、シート体２０の片面に文字４０と文字４１をプリンターによって印刷したものであり、文字４０は本発明を採用した飲食店の宣伝文句になっており、文字４１は本発明を採用した飲食店のホームページのアドレスがプリンターによって印刷された。
【実施例４】
【００５７】  図８は、実施例２の板状体３０の片面または両面に、文字や記号や図や絵や写真を付した場合を説明しており、この実施例では、板状体３０の片面に文字５０と絵６０をプリンターによって印刷したものであり、文字５０は本発明を採用した飲食店の販売促進になっており、絵６０は本発明を採用した飲食店のキャラクターを配置した構図になっていて、プリンターによって印刷された。【００６０】  上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
【産業上の利用可能性】
【００６１】  本発明の喫食時の液ハネ防止手段は、麺類及びパスタ類の喫食以外でも、スープ類やスープ類の中にご飯があるタイプや油を多用する中華料理やオリーブオイルを多用する料理からの油や具材のハネを防止することが可能なので、前記麺類や前記パスタ類以外の食品に応用しても上述した発明の効果を期待することができることから、我が国の多くの食品産業の発展に寄与することができる。
産業上の利用価値が高い。
【図面の簡単な説明】
【００６２】
【図１】本発明の実施の形態例を示す側面図である。
【図２】本発明の実施の形態例を示す平面図である。
【図３】本発明の実施の形態例を示す概略説明図である。
【図４】本発明の実施の形態例を示す側面図である。
【図５】本発明の実施の形態例を示す平面図である。
【図６】本発明の実施の形態例を示す概略説明図である。
【図７】本発明の実施の形態例を示す概略説明図である。
【図８】本発明の実施の形態例を示す概略説明図である。
【符号の説明】
【００６３】１０  収納容器、１１  収納物、２０  シート体、
２１（ａ，ｂ，ｃ）  着脱可能手段、２２（ａ，ｂ，ｃ）  着脱可能手段
３０  板状体、３０ａ  角度可変範囲、３０ｂ  角度可変範囲
３１  直立道具、３２  折部、４０  文字、４１  文字、５０  文字
６０  絵
【図１】
2008154987.tif 000003
【図２】
2008154987.tif 000004
【図３】
2008154987.tif 000005
【図４】
2008154987.tif 000006
【図５】
2008154987.tif 000007
【図６】
2008154987.tif 000008
【図７】
2008154987.tif 000009
【図８】
2008154987.tif 000010